【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
通信網に接続可能な第一通信手段と、前記第一通信手段を用いて通信網より緊急地震速報を受信する地震情報算出手段と、緊急地震速報受信時に音声出力部を用いて避難指示音声を出力する避難指示手段と、緊急地震速報受信時に前記通信装置の通信状態を判定する通信状態判定手段と、を備えた通信装置において、
前記通信状態判定手段により前記通信装置が通話処理中であると判定された場合に、通話音声と前記避難指示音声とを重畳して前記音声出力部より出力する音声重畳手段と、前記音声出力部から出力される避難指示音声の音量を通話音量と同音量にする音量制御手段と、を備えたことを特徴とする通信装置。
【請求項２】
通信網に接続可能な第一通信手段と、前記第一通信手段を用いて通信網より緊急地震速報を受信する地震情報算出手段と、緊急地震速報受信時に音声出力部を用いて避難指示音声を出力する避難指示手段と、緊急地震速報受信時に前記通信装置の通信状態を判定する通信状態判定手段と、を備えた通信装置において、
前記通信状態判定手段により前記通信装置が通話処理中であると判定された場合に、前記第一通信手段に対して通話の切断を指示するとともに、前記切断の完了後、前記第一通信手段に対して、前記切断を行った相手先に対して発信の指示を行い、緊急地震速報受信に起因して前記切断が実施されたことを示す情報を前記相手先へ送信するよう制御する制御手段と、を備えたことを特徴とする通信装置。
【手続補正２】
【補正対象書類名】明細書
【補正対象項目名】００１３
【補正方法】変更
【補正の内容】
【００１３】
上記目的を達成するために請求項１に記載の通信装置は、通信網に接続可能な第一通信手段と、前記第一通信手段を用いて通信網より緊急地震速報を受信する地震情報算出手段と、緊急地震速報受信時に音声出力部を用いて避難指示音声を出力する避難指示手段と、緊急地震速報受信時に前記通信装置の通信状態を判定する通信状態判定手段と、を備えた通信装置において、前記通信状態判定手段により前記通信装置が通話処理中であると判定された場合に、通話音声と前記避難指示音声とを重畳して前記音声出力部より出力する音声重畳手段と、前記音声出力部から出力される避難指示音声の音量を通話音量と同音量に
する音量制御手段と、を備えたことを特徴とする通信装置。
【手続補正３】
【補正対象書類名】明細書
【補正対象項目名】００１４
【補正方法】変更
【補正の内容】
【００１４】
また、請求項２に記載の通信装置は、通信網に接続可能な第一通信手段と、前記第一通信手段を用いて通信網より緊急地震速報を受信する地震情報算出手段と、緊急地震速報受信時に音声出力部を用いて避難指示音声を出力する避難指示手段と、緊急地震速報受信時に前記通信装置の通信状態を判定する通信状態判定手段と、を備えた通信装置において、前記通信状態判定手段により前記通信装置が通話処理中であると判定された場合に、前記第一通信手段に対して通話の切断を指示するとともに、前記切断の完了後、前記第一通信手段に対して、前記切断を行った相手先に対して発信の指示を行い、緊急地震速報受信に起因して前記切断が実施されたことを示す情報を前記相手先へ送信するよう制御する制御手段と、を備えたことを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】変更
【補正の内容】
【００４０】
本発明の構成によれば、通話中に緊急地震速報が受信された場合に、通話音声と避難指示音声とが重畳されて同時に出力される。このため、ユーザは通話を継続したまま、避難指示音声を聞くことができる。このため例えば、通話状態を維持したまま、避難指示音声の内容を通話相手に伝えることができるため、利便性が向上する。
【手続補正３０】
【補正対象書類名】明細書
【補正対象項目名】００９６
【補正方法】変更
【補正の内容】
【００９６】
図９は、緊急地震速報の受信待機を行っている親機１の処理フローである。図９に示す処理フローは、親機１の電源が起動し、且つインターネット６２との通信が可能な状態において任意のタイミングで開始可能である。ステップＳ１１０〜ステップＳ１８０については、実施の形態１の図４と同内容であるため説明を省略する。